(57)【要約】【課題】骨充填剤１６の包装容器として使用されるだけでなく、施術現場で施術対象者からの血液や骨髄などを骨充填剤１６と直ちに混ぜるための混合容器としても兼用することができる、骨充填剤の混合トレイ兼用包装容器の提供する。【解決手段】合成樹脂製の包装容器であって、粉末状または顆粒状の骨充填剤１６が投入される開口部２４、および骨充填剤１６が収容されるように下方に膨らんだ半球状底壁部分２６を含む内部壁体２８と、内部壁体２８を取り囲んでおり、内部壁体２８の半球状底壁部分２６よりも下方にさらに延長されていて前記容器を直立させる下端部３０を含む外部壁体３２と、内部壁体２８の開口部２４側と外部壁体３２の上部とを連結しており、内部壁体２８の開口部２４を密閉させる封緘紙３４が接合される密封部３６とを含んでいる。【選択図】図４
2009247884.tif 000002
【特許請求の範囲】
【請求項１】
合成樹脂製の包装容器であって、
粉末状または顆粒状の骨充填剤が投入される開口部、および前記骨充填剤が収容されるように下方に膨らんだ半球状底壁部分を含む内部壁体と、
前記内部壁体を取り囲んでおり、前記内部壁体の半球状底壁部分よりも下方にさらに延長されていて前記容器を直立させる下端部を含む外部壁体と、
前記内部壁体の開口部側と前記外部壁体の上部とを連結しており、前記内部壁体の前記開口部を密閉させる封緘紙が接合される密封部とを含んでなることを特徴とする、骨充填剤の混合トレイ兼用の包装容器。
【請求項２】
前記密封部の少なくとも１箇所に、前記封緘紙に非接合部分を提供する段部からなる開封用案内部が備えられていることを特徴とする、請求項１に記載の骨充填剤の混合トレイ兼用の包装容器。
【発明の詳細な説明】
【技術分野】
【０００１】
本発明は、粉末状または顆粒状の骨充填剤(bone filler)の混合トレイ兼用の包装容器に係り、さらに詳しくは、密封されている骨充填剤入り包装容器を施術者が手術現場で開封し、前記骨充填剤を、施術に適するように、施術対象者からの血液や骨髄などと混合するための混合容器として兼用することができる、骨充填剤の混合トレイ兼用の包装容器に関する。
【背景技術】
【０００２】
一般に、整形外科、神経外科および歯科分野などで広く施術される粉末状または顆粒状の骨充填剤は、施術対象者との親和性を図りかつ施術に適した粘性を持つことができるように、施術対象者からの血液または骨髄などと混合してから、施術対象者の患部に適用する。
【０００３】
従来では、骨充填剤は、図１ａ〜図１ｃにそれぞれ示すように、合成樹脂フィルムがコートされた紙で形成されかつ縁部が熱融着によって密封される紙製パウチ１０、縁部が密封されるアルミニウム製パウチ１２、または栓で密封されるガラス容器としてのアンプル１４でもって、包装されてきた。
【０００４】
このようなパウチ１０、１２またはアンプル１４でもって包装された骨充填剤１６は、別途用意される図２に示したような滅菌処理済みのボウル１８を使用すれば、施術に用いられることができた。
【発明の開示】
【発明が解決しようとする課題】
【０００５】
しかし、従来では、施術者は、骨充填剤１６が包装されたパウチ１０、１２またはアンプル１４を開封してから、骨充填剤１６を別途用意されるボウル(bowl)１８に注ぎ込んだ後に、施術対象者からの血液や骨髄などを前記骨充填剤１６と混合してから、この混合物を施術対象者の患部に適用してきた。したがって、従来では、施術者が骨充填剤を施術に用いるのが非常に不便であった。
【０００６】
また、従来では、パウチ１０、１２またはアンプル１４を開封してからボウル１８に骨充填剤１６を注ぎ込んだときに、比較的高価な骨充填剤１６の遺失がよく発生するので、前記パウチ１０、１２またはアンプル１４でもって包装された骨充填剤１６を残りなく全部使用するためには、ボウル１８に叩いて入れなければならないという不便さもあった。
【０００７】
一般に、ボウル１８は、直立性を確保するために、平らな底面部２０を持っているが、この底面部２０の大きさが開口部２２よりも相対的に小さくて安定感が足りないために、ボウル１８内の骨充填剤１６が外部に漏れないようにするには、取り扱いの際に、ボウル１８を非常に用心深く取り扱わなければならないという欠点もあった。
【０００８】
そこで、本発明の目的は、骨充填剤の包装容器として使用することができるだけでなく、施術現場で施術対象者からの血液や骨髄などを骨充填剤と直ちに混ぜることができる混合容器としても兼用することができる、骨充填剤の混合トレイ兼用の包装容器を提供することである。
【課題を解決するための手段】
【０００９】
上記目的を達成するための本発明は、合成樹脂製の包装容器であって、粉末状または顆粒状の骨充填剤が投入される開口部、および前記骨充填剤が収容されるように下方に膨らんだ半球状底壁部分を含む内部壁体と、前記内部壁体を取り囲んでおり、前記内部壁体の半球状底壁部分よりも下方にさらに延長されていて前記容器を直立させる下端部を含む外部壁体と、前記内部壁体の開口部側と前記外部壁体の上部とを連結しており、前記内部壁体の前記開口部を密閉させる封緘紙が接合される密封部とを含んでなる、骨充填剤の混合トレイ兼用包装容器を提供するものである。
【００１０】
この場合、前記密封部の少なくとも１箇所に、前記封緘紙に非接合部分を提供する段部からなる開封用案内部が備えられているのが好ましい。
【発明の効果】
【００１１】
本発明によれば、骨充填剤が密封された包装容器を施術者が開封すると同時に、施術対象者からの血液や骨髄などを前記開封された容器の骨充填剤と直ちに混ぜて、この混合物を施術対象者の患部に適用することができるので、従来のように、包装容器と混合容器との両方をそれぞれ使用しなければならないという不便さを解消することができるとともに、施術者が便利に利用することができるという利点がある。
【発明を実施するための最良の形態】
【００１２】
以下に、添付図面を参照しながら、本発明の一実施例について詳細に説明する。
【００１３】
図３は、本発明を適用した一実施例による包装容器の、封緘紙で密封されている状態を示す斜視図であり、図４は、図３に示す包装容器の、開封される状態を示す斜視図であり、図５は、図３のＩ−Ｉ線に沿った断面図であり、図６は、図３に示す包装容器の、封緘紙が完全に除去された状態を示す縦断面図である。
【００１４】
本発明を適用した一実施例による、ポリプロピレン製、ポリエステル製などの合成樹脂製の包装容器は、図３〜図６に示すように、
（１）粉末状または顆粒状の骨充填剤１６が投入される開口部２４、および前記骨充填剤１６が収容されるように下方に膨らんだ半球状底壁部分２６を含む内部壁体２８、
（２）前記内部壁体２８を取り囲んでおり、前記内部壁体２８の半球状底壁部分２６よりも下方にさらに延長されていて容器を直立させる下端部３０を含む外部壁体３２、
（３）前記内部壁体２８の開口部２４側と外部壁体３２の上部とを連結しており、前記開口部２４を密閉させる封緘紙（換言すれば、シール）２３が接合される密封部３６、
を含んでなる。
【００１５】
本実施例において、封緘紙３４は、下面部が前記密封部３６の表面と熱融着されるホットメルト型合成樹脂からなっている紙でできている。
【００１６】
また、前記密封部３６に熱融着される封緘紙３４を容易に除去し得るようにするためには、前記密封部３６の少なくとも一箇所に、前記封緘紙３４の一部が接合されない段部からなる開封用案内部３８を形成することによって、前記開封用案内部３８に対応する封緘紙３４の非接合部分４０を手で引っ張ることができるようにするのが好ましい。
【００１７】
また、本実施例による包装容器は、封緘紙３４で密封される骨充填剤１６を使用者が肉眼で観察することができるように、透明にするのが好ましい。
【００１８】
本発明の一実施例を示す図面には、外部壁体３２が四角筒状をし、密封部３６が四角平面状をしているものが例示されているが、場合によっては、前記外部壁体３２と密封部３６とは、円筒状と円形平面状とにそれぞれしてもよい。
【００１９】
このように構成された本実施例による包装容器は、図３および図５に示すように、内部壁体２８の半球状底壁部分２６に骨充填剤１６が収容された状態で、封緘紙３４を密封部３６に熱融着させることによって、開口部２４を密封される。
【００２０】
図４に示すように、施術者が一方の手で外部壁体３２を握り、他方の手で封緘紙３４の非接合部分４０を引っ張ることによって、図６に示すように封緘紙３４を除去して開口部２４を開放させた後に、施術対象者からの血液や骨髄などを、開口部２４を介して、半球状底壁部分２６に入っている骨充填剤１６と混合して、この混合物を施術対象者の患部に適用する。
【００２１】
したがって、内部壁体２８の半球状底壁部分２６は、骨充填剤１６が収容される空間を提供すると同時に、前記骨充填剤１６と施術対象者からの血液や骨髄などとを混ぜる混合トレイとして使用されることができる。
【００２２】
前記内部壁体２８の半球状底壁部分２６よりも下方にさらに延長されている下端部３０を含む外部壁体３２は、本実施例による包装容器を安定的に直立させるとともに、骨充填剤１６が収容される前記内部壁体２８が損傷しないように保護する。
【００２３】
前記内部壁体２８と前記外部壁体３２とを連結しかつ封緘紙３４が接合される密封部３６は、前記封緘紙３４との接合面積を増大させるので、内部壁体２８の開口部２４をより強固に密封する。
【図面の簡単な説明】
【００２４】
【図１ａ】従来の紙製パウチの正面図である。（従来例１）
【図１ｂ】従来のアルミニウム製パウチの正面図である。（従来例２）
【図１ｃ】従来のアンプルの正面図である。（従来例３）
【図２】従来のボウルの斜視図である。（従来例１〜３）
【図３】本発明を適用した一実施例による包装容器の、封緘紙で密封されている状態を示す斜視図である。（実施例１）
【図４】図３に示す包装容器の、開封されつつある状態を示す斜視図である。（実施例１）
【図５】図３のＩ−Ｉ線に沿った断面図である。（実施例１）
【図６】図３に示す包装容器の、封緘紙が完全に除去された状態を示す縦断面図である。（実施例１）
【符号の説明】
【００２５】
１６  骨充填剤
２４  開口部
２６  半球状底壁部分
２８  内部壁体
３０  下端部
３２  外部壁体
３４  封緘紙
３６  密封部
３８  開封用案内部
４０  非接合部分
【図１ａ】
2009247884.tif 000003
【図１ｂ】
2009247884.tif 000004
【図１ｃ】
2009247884.tif 000005
【図２】
2009247884.tif 000006
【図３】
2009247884.tif 000007
【図４】
2009247884.tif 000008
【図５】
2009247884.tif 000009
【図６】
2009247884.tif 000010